(57)【要約】【課題】  トランスポートスキャナー又はフィードスルースキャナー装置における幾何学的な較正方法であって、さらなる情報処理システムでの使用のための２次元原稿を走査するための配置物に関する。【解決手段】  該方法は、走査画像に由来する目的を伴った画像を供するテスト原稿を表示することを備えている。特に、この方法は、互いに対して所定で知られた平行に配置されたリーディング画像端及びトレーリング画像端を特徴づける試験画像を供するテスト原稿を使用しており、これらから、移動方向又は移動速度におけるズームファクターに関する算出された第１補正値、前縁位置に関する算出された第２補正値、及び後縁位置に関する第３補正値を自動的に検出する。さらに、この第１、第２、第３補正値は、スキャナー装置において、このような測定値に従って更新される。【選択図】  図２
2004180296.tif 000002
【特許請求の範囲】
【請求項１】
適切な情報処理システムにてさらに利用するように、二次元原稿を走査し、かつ、該二次元原稿の電子画像を形成するように配置されたトランスポートスキャナー装置における較正方法であって、
該走査及び該形成は、装置パラメーターの制御にしたがって実行され；
該方法は：
テスト画像を設けたテスト原稿を走査するステップ；及び、
前記テスト画像の電子原稿画像を形成するステップ；
を有し、
前記テスト画像は、所定の位置にて、少なくとも一つのマーキングを特徴とし；かつ
該方法は、前記の形成された電子ビットマップ画像における少なくとも一つのマーキングに基づいて、該装置を自動較正するステップをさらに有している；
ことを特徴とする、方法。
【請求項２】
前記装置は、移動方向においてズームファクターを特徴づけ；
前縁を特徴としている前記テスト原稿は、該前縁と平行であり、既知の平行な移動方向において少なくとも一つのマーキングの二つの側部分を備え；
前記方法は、該二つの側部分の電子画像における実際の平行な移動に基づく前記ズームファクターに関する補正値を評価するステップを有する；
ことを特徴とする、請求項１に記載の方法。
【請求項３】
前記テスト画像上の少なくとも一つのマーキングは、前記テスト原稿の端部と同一側面上の少なくとも一つの側部分を有し；かつ
前記のテスト原稿を走査するステップは、テスト原稿領域よりも大きな領域を走査するステップ；
をことを備えていることを特徴とする請求項２に記載の方法。
【請求項４】
前記装置は、二次元原稿を走査するＣＣＤを特徴とし、かつＣＣＤの読出しを開始する前縁タイミング信号を特徴とし；
前記テスト原稿は、前記前縁と同一側面を有する一つの側部分を伴うマーキングを備え；
前記方法は、実際に使用される前縁タイミング信号との関係において、前記電子画像における一つの側部分の位置に基づいて、前縁タイミング信号に関する補正値を評価するステップをさらに備えている；
ことを特徴とする、請求項３に記載の方法。
【請求項５】
前記装置は、二次元原稿を走査するＣＣＤを特徴とし、かつ、ＣＣＤの読出しを中止する後縁タイミング信号を特徴とし；
前記テスト原稿は、後縁と同一側面を有する一つの側面を伴うマーキングを備え；
前記方法は、実際に使用される前縁タイミング信号との関係において、前記電子画像における一つの側部分の位置に基づいて、後縁タイミング信号に関する補正値を評価するステップをさらに備えている；
ことを特徴とする、請求項３に記載の方法。
【請求項６】
前記装置は、前記移動方向に垂直なズームファクターを特徴づけ；
前記テスト画像は、該移動方向に平行な、少なくとも一つのマーキングの二つの側部分を備え；
前記方法は、前記電子画像の二つの側部分の間の距離と前記テスト原稿上の実際距離との比に基づいて、前記の移動方向に垂直なズームファクターに関する補正値を評価するステップをさらに備えている；
ことを特徴とする、請求項１乃至５のいずれか一項に記載の方法。
【請求項７】
前記装置は、左又は右マージン位置ストップを特徴とし、
前記テスト原稿は、移動動作に平行な、左端又は右端と同一側面を有する一つの側部分を伴うマーキングを備え；かつ
前記方法は、各ラインに関し、ＣＣＤにおける最初に利用可能なピクセル要素において記録を開始するステップ、あるいは、最終で利用可能なピクセル要素において記録を停止するステップ；及び
最初又は最終で利用可能なピクセル要素と、左端又は右端と同一平面を有する一つの側部分を伴うマーキングの一つの側部分との間の差異にそれぞれ基づいて、左又は右マージン信号に関する補正値を評価するステップ；
を備えていることを特徴とする、請求項１乃至６のいずれか一項に記載の方法。
【請求項８】
適切に一致し、かつ一定の寸法を有する材料で製造され、かつ
装置を自動較正するための少なくとも一つのマーキングを備えていることを特徴とする、請求項１乃至７のいずれか一項に従った方法を利用するように配置されたテスト原稿。
【請求項９】
前記テスト原稿の端部と同一平面を有する側部分を伴うマーキングが、該原稿の対応する端部にて切断されることにより得られることを特徴とする、請求項８に記載のテスト原稿。
【請求項１０】
適切な情報処理システムにさらに利用されるように、二次元原稿を走査し、かつ該二次元原稿の電子画像を形成するための、トランスポートスキャナーを有する装置であって、
テスト原稿により走査を制御する装置パラメーターを較正する較正手段を備え；
該較正手段は：
装置パラメーターに関する電子画像補正値における少なくとも一つのマーキングから導くための、前記テスト原稿を走査することにより得られる電子画像を処理する、処理手段；及び
得られた補正値に基づいて該装置パラメーターを補正する手段；
を備えていることを特徴とする、装置。
【発明の詳細な説明】
【技術分野】
【０００１】
本発明は、２次元原稿を走査するために配置されているフィードスルーやトランスポートスキャナーを、１：１のフォーマットサイズに較正し、これにより、適切な情報処理システムへの次なる使用のための電子画像を形成する方法に関連している。この走査及び形成は、装置パラメーターの制御下にて実行され、この方法は、テスト画像を供されたテスト原稿を走査し、かつ、電子画像を形成するステップを備えている。また、本発明は、トランスポート設備を有する装置や、該方法の使用するためのテスト原稿にも関連している。トランスポート又はフィードスルースキャナーは、原稿からの完全かつ一致する画像を導くために使用され、または、原稿の迅速なコピーを行う目的のために使用され、又は操作のための情報及び／又はコピーや印刷のための情報の後なる利用を意図した中間的な保存のために使用されている。特に、限定しないが、原稿は、Ａ０又はＡ１形式のような大型サイズであってもよく、かつ、半無限なロールの形態など、一定方向に延びているものであってもよい。画像の内容は重要ではないが、地図作製法から機械的エンジニアリングまでの範囲のものであってもよい。このようなトランスポートスキャナーは、いわゆるフラットベッド型スキャナーとは異なっており、前者は、一般に原稿の動く方向に横軸に走るＣＣＤ要素のアレイとして通常認識される装置に固定された光軸配置物に沿って、原稿が動く。
【背景技術】
【０００２】
ここで、引用した装置には、種々の幾何学的不確実性が存在し、ＣＣＤ要素のアレイに関する寸法及びタイミングの両者に対して較正を必要とするであろう。さらに、また、トランスポート方向に対する横方向における原稿のトランスポート機構及び正確な位置取りは、正確な較正に関する努力を正当化するであろう。これら較正のすべては、標準の原稿サイズに相対し、効果的に使用されるであろう。問題は、光学的配置物による画像のトランスポート機構及び幾何学的スケーリングが全く異なった制御機構により統括される場合、さらに悪化される。特定の問題は、原稿の前縁部分及び後縁部分並びに光学的配置物に対するこのトランスポート速度における不確実性により生じる。
【０００３】
この種のトランスポートスキャナーによる現在の実用例では、このような標準的サイズの原稿を供し、これらのコピーを作成し、かつ当業者によりスキャナー装置に適用される種々の必要な較正を行っている。技術の進歩及び洗練性の度合い、及びさらにこのようなトランスポートスキャナーの利用頻度の増加は、このような手動の較正に関し多大な負荷の必要性を生み出してきており、コスト及び遅延性の両者において、とくに、このスキャナーが一時的に使用される場合、特に顕著である。
【０００４】
さらに、先行技術によると、一般に、調整済みのプリンターは、遠隔の機器に必要とされる可能性がある全体のシステムにおいて存在しなければならない。遠隔の位置にとって変わって存在する可能性があり、あるいは、長時間の後に利用されるだけである可能性のある実際のプリンターやコピー機に、このスキャナーが局部的に接続されていない場合、さらなる問題が起こる可能性がある。
【特許文献１】米国特許第Ａ−５，２４５，４４０号明細書
【発明の開示】
【発明が解決しようとする課題】
【０００５】
したがって、その他の事項のうちで、本発明の目的は、半自動で、確実で高速な様式にて使用され、原稿の物理的コピーを実際に作成する必要がない、このような較正方法を供することである。
【課題を解決するための手段】
【０００６】
したがって、本発明の一面によると、請求項１の特徴部分に述べた特徴を有している。テスト原稿のキャリアは、非常に適合し一定のサイズを有した材料でできていてもよく、これに適用される画像は、最大限の正確性を有する様式にて成形されていてもよい。この方式において、本発明は、前縁部分、後縁部分、及びトランスポート速度又はモーター速度に対して適切に補正した値を供している。記すべきなのは、トランスポート方向及びトランスポート速度におけるズームファクターは、互いに線形な関係を有し、かつ、本発明に関する限り、互いに交換可能である。
【０００７】
単独で、Ｓａｔｏらによる特許文献１では、較正画像を供した較正キャリアを示しているが、この画像の形状は、種々の傾斜端部を有しており、それに続く較正工程では、単一ピクセルに関連したパルスを供しているが（Ｓａｔｏらの図６ＢにおけるＸ１、Ｘ２参照）、本発明における較正方法により得られる、自動実行性及び高い正確性の組合せ物を供してはいない。事実、本発明の較正における利点に関する一面は、複数のピクセルにおける測定の効果に基づいており、若干のピクセルに関した可能性のある劣化及び変化性は、最終的な結果において、消去され、平均化されている。
【０００８】
また、本発明は、請求項１に請求した方法を実行するために配置された装置にも関し、かつ、この種の装置に連結するための画像を供されたテスト原稿にも関している。本発明におけるさらなる利点に関する一面は、従属項に請求されている。
【発明の効果】
【０００９】
本発明における方法は、テスト原稿から得られるビットマップ画像を分析し、対象とする値との差異を導き出し、かつ対応するパラメーターに関し、補正値を算出する。これらパラメーターの補正に関し、ページ上の画像からメモリー内の画像へと変換する工程は、走査装置との特定の距離差があるにもかかわらず、実際のマッピングをもたらすだろう。
【発明を実施するための最良の形態】
【００１０】
好適実施例の開示に対する参照文と共に、かつ特に添付された図に対する参照文と共に、本発明におけるこれら及びさらなる一面並びに利点を詳細に述べる。
【００１１】
特に、本発明における拡張した較正の種類は、走査線の幅に関する偏差又は水平的なズーム補正を追加的に解決し、また、あるいは代替的に、右側のアライメントにおけるストップ位置を伴いながら、検出器の左側のマージンアライメント又はアライメントアレイを解決している。一般に、「左」及び「右」なる記述は、相互に交換されてもよい。
【００１２】
図１は、走査装置の概略断面図を示している。示されているこの走査装置は、特に、青写真や同種のものなどの大型フォーマット原稿を走査するのに適している。装置１０１は、線形ＣＣＤアレイ１０２、示された方向に原稿シートを移動させる二対のトランスポートローラー１０３及び１０４、光源１０５、原稿シートを誘導する圧盤１０６、移動方向に対して垂直の長方形曝露領域を形成するための、圧盤中のスリット１０７、及びＣＣＤアレイ上の曝露領域にて画像を投射するための光路１０８を備えている。さらに、シートセンサー１０９及びゲージロール１１０を示している。シートセンサー１０９は、シートがディテクターに存在する際、オンの状態となり、シートがディテクターに存在しない場合、オフの状態となる。
【００１３】
制御中、シートがオペレーターによりロールペア１０３の間隙に配置されている場合、シートセンサーはオン状態となり、若干の遅れの後、このロールペアは、シートが短い距離引っ張られるように一定量回転する。これは、効果的に、オペレーターが手動で行うことはない。その後、原稿シートの前縁は、曝露領域の中心からＬの距離にある位置Ａに至る。スタートボタンを活性化した後、原稿シートは、圧盤に沿って、かつ曝露領域にわたって、所定の速度にて移動される。当然ながら、移動が開始された後、移動は加速されるであろうが、この初期状態は、原稿の前縁が曝露領域を通過すると停止されることを理解すべきである。光源は、曝露領域において原稿シートを照射する。画像平面における原稿の画像の線は、ＣＣＤアレイの光路を介して投射される。暴露領域における画像の線に対応する、ＣＣＤアレイの要素にて発生される電気信号は、平行に読み出され、ラインバッファーに配置される。このラインバッファーは、さらなる処理のための電気回路に転送するため、連続的に読み出される。適切に処理した後、得られたピクセルは、ビットマップフォーマットにて電子画像としてメモリー内に保存される。光源が点灯しており、原稿シートが曝露領域に存在しない場合、ゲージロールは、非単一性であるなど、ＣＣＤ感度に関して、測定し、かつ、補完することを許容する。
【００１４】
図１は、レンズやミラーの正確な形状など、実施例において種々の光学的一面を示していないが、これらは、本技術分野の通説に従って寸法付けされてもよい。通常モードにおいて、ＣＣＤアレイ信号の読出しは、原稿シートの前縁が、曝露領域を通過する時点から始まる。較正モードにおいて、ＣＣＤアレイ信号の読出しは、原稿シート（テスト原稿）が、その初期位置Ａから移動を開始した時点から始まる。
【００１５】
この走査装置は、原稿の画像からメモリー内にビットマップ画像を保存するためのマッピングを形成する工程を制御する、種々のスキャナー又は装置パラメーターにより統括されている。これらパラメーターは、走査装置のデザインにより主として同定されている。しかしながら、装置の組立時に発生する不正確性、あるいは、環境条件ゆえ、これらパラメーターは、対象とする値から逸脱している可能性がある。したがって、走査画像のビットマップは、原稿画像の正確なコピーとは一致しないだろう。本発明における方法は、テスト原稿から得られるビットマップ画像を分析し、対象とする値との差異を導き出し、かつ対応するパラメーターに関し、補正値を算出する。これらパラメーターの補正に関し、ページ上の画像からメモリー内の画像へと変換する工程は、走査装置と特定の距離差があるにもかかわらず、真のマッピングをもたらすだろう。
【００１６】
図２は、テスト原稿に関する実施例におけるスタイル図を示している。テスト原稿２０１は、一般に長方形の形状を有しており、ポリエステルなどの、高度に一致した一定寸法を有する材料によりできている。この実施例において、太線矢印２０２に沿ってスキャナー装置へと挿入される。このテスト原稿は４つの端部を有している。隣接する端部は、正確に直角であり、向かい合う端部は、互いに正確に平行である。さらに、テスト原稿の各４つの端部は、理想的には黒であり、二つの長方形なる、同一のサイズを有する色を有する形状又はマークを有している（２０４、２０５、２０６、２０７、２０８、２０９、２１０及び２１１）。しかしながら、特定の正確に検知可能な側部分が較正のために存在しているその他の色調及び形状は、原則として、当業者に利用可能である。これら暗色の長方形は、テスト原稿の関連付けされた端部に対して同一平面上に存在している。事実、これらの外部側は、これらの許容範囲が切断による許容範囲のみになるように、テスト原稿を切断する工程により形成される。ブロック２０４５及び２０５は、テスト原稿の前縁に存在している。ブロック２０６及び２０７は、テスト原稿の後縁に存在している。
【００１７】
さらに、ラインパターン２１２は、このテスト原稿を示すものとして適用されており、種々の暗色形状の端部との間に配されたさらなる長方形を形成している。これらの線、特に、種々の交叉地点は、後にさらに詳細に述べられるように、ＣＣＤのタイミング及び制御において、水平的かつ垂直的ズームファクターに関する特定測定地点として使用されてもよい。
【００１８】
較正工程におけるステップのように、このテスト原稿は、走査され、かつ、メモリー内にビットマップとして保存される。
【００１９】
検出ピクセルは、示されていない配置物によりデジタル化される同調クロック信号を表している。形状２０４の側面に至ると、この検出ピクセルは、幾分段階的に、「白」から「黒」へと変化する信号として認識するだろう。この端部位置の算出に関して、処理前または処理後に、二値化に影響を与える可能性がある。加えて、連続的なクロックサイクル間の黒色値の内挿は、デジタル処理前に影響されてもよい。初期段階において、一致していないピクセル値は、さらなる考慮から除外されてもよい。上述のすべての事項は、多くとも一つの垂直ピクセルの精度を伴う黒／白端部を示すであろう。この処理工程は、較正算出の適切なステージにおいて、対となっている暗色領域２０５に由来する対応する信号に関して考慮してもよい。
【００２０】
暗色形状２１０に関し、その外端部は、一時に数ピクセルにより感知されるであろうが、種々の連続的なクロックサイクルは、同様の位置の感知をすべて特徴としている。したがって、暗色形状２０４に関して、検知された外端部に沿った確証は、横方向であり、かつ空間的であるが、同様の端部にわたった内挿は、垂直的であり、一時的である。対照的に、暗色形状２１０に関して、外端部に沿った補強は、垂直的であり、一時的なものであるが、同じ端部にわたった内挿は、水平的であり一時的である。一般に、８つの暗色形状における外端部のみが、較正工程への使用に必要である。しかしながら、特定の場合では、この形状の内端部を使用してもよい。同様に、ラインパターン２１２の形状、特に、その交叉地点の位置は、すべての較正データを与えるために使用されてもよい。
【００２１】
図３は、メモリー内において得られるビットマップの代表例を示している。破線は、全体の走査領域の境界を示している。本発明における較正走査が行われる場合、この全体の走査領域は、通常の走査に使用される全体の走査領域よりも大きい。ライン３０２は、ＣＣＤから受ける第１走査線であり；ライン３０３は、ＣＣＤから最後にうける走査線に一致しており；境界線３０４及び３０５は、アレイの第１及び最終制御ＣＣＤ要素から得られる信号に一致している。
【００２２】
較正走査の実行は、オペレーターがスタートボタンを押した際、開始される。このことにより、初期動作に際し、テスト原稿の前縁は、位置Ａに存在しているが、同時にフィードローラーが活性化され、原稿の供給及びＣＣＤアレイの読出しが開始される。この走査領域の最終ライン３０３の読出しは、所定の時間が経過し、かつ、シートセンサー１０９が不活性化した後、テスト原稿の後縁がＣＣＤアレイに沿って通過する方式にて行われる。
【００２３】
本発明は、複製装置における応用例により示されるであろう。しかしながら、明らかなのは、スタンドアローンスキャナーにおいて本発明による方法に関しての応用例は、同様に可能であり、あるいは、較正工程に関するスキャナーは、一時的に接続されている種々の処理装置との組合せにより可能である。
【００２４】
図４は、本発明の方法を実行するために適合された複製装置に関する構造的外観図を供している。複製装置４０１は、スキャナーユニット４０２、コントローラーモジュール４０３及びプリンターユニット４０４を備えている。スキャナーユニット４０１は、走査パラメーターを保存するメモリー４０６を備えている。スキャナーユニットは、コントローラーユニットに接続された二方向コントロールライン４０６及びデーターライン４０７を介している。コントローラーモジュールは、メモリーユニット４０８及びユーザーインターフェースユニット４０９を備えている。その上、コントローラーモジュールは、その任務を推考するための種々のソフトウェアプログラムを実行すべく適合されている。また、較正プログラム４１０及び解析プログラム４１１を示している。メモリーユニット４０８は、データーライン４０７を介した線に由来のビットマップとして走査画像を保存するための第１メモリー領域、及び、較正工程のログファイルを保存するための第２メモリー領域４０９を備えている。ユーザーインターフェースユニット４０９は、キーパネル又はキーボード４１２を備えており、スタートボタン又はディスプレイ４１３を備えている。
【００２５】
較正工程は以下の通りである。較正は、例えば、キーパネル４１２より開始される。この開始は、オペレーターにより要求により効果を生じさせてもよく、特に較正技術者などのスキルを身に付けていなくても、訓練されていなくてもよい。較正プログラム４１０が起動され、コマンドは、コマンドライン４０６を介してスキャナーへと送られる。この工程により、スキャナーは較正モードとなり、このスキャナーは、図２のように、テスト原稿を走査するために準備されている。オペレーターがテスト画像を適用すべく誘導させ、かつ開始ボタンを押すように促すべく、適切なメッセージが、ユーザーインターフェースのディスプレイ上に与えられてもよい。オペレーターがテスト原稿を挿入し、開始ボタンを押した後、テスト画像は、走査され、走査ビットマップデーターは、データーチャネル４０７を介してコントローラーへと至り、第１メモリー領域に保存される。
【００２６】
完全なビットマップが、首尾よく受信された際、この較正プログラムは、本発明に従った解析プログラム４１１を起動させ、ビットマップの解析を開始する。プログラムが相当するパラメーターを算出する際、解析は成功し、関連するパラメーターは逆走される。メモリー４０５に保存されているパラメーターは、較正パラメーターセットとして、インターフェース４０６を介してスキャナー４０２へと至る。後者のステップは、一つ以上のパラメーター値が、許容された間隔の範囲外である場合、スキャナーにより拒否することを許容するであろう。拒否されない場合、全体の工程は首尾よく完結する。このスキャナーパラメーターは、第２メモリー４０８内に、データーベースｓｄｓ＿ｌｏｇ．ｍｄｂにてアップデートされる。このプログラムは、完結すると試験結果を報告し、装置は、通常のユーザーモードへと戻る。
【００２７】
解析プログラムからの結果は、種々の解析算出からもたらされる以下のパラメーター値から構成されている：
前縁位置に関する算出された補正値、ｌｅａｄｉｎｇ＿ｅｄｇｅ＿ｖａｌ＋；
後縁位置に関する算出された補正値、ｔｒａｉｌｉｎｇ＿ｅｄｇｅ＿ｖａｌ＋；
垂直ズーム又はモーター速度対画像長に関する算出された補正値、ｖｅｒ＿ｚｏｏｍ＿ｃｏｒｒ＿ｖａｌ＋；
水平ズーム又は画像長に関する算出された補正値、ｈｏｒ＿ｚｏｏｍ＿ｃｏｒｒ＿ｖａｌ＋；及び
左マージン位置に関する算出された補正値、ｌｅｆｔ＿ａｌｉｇｎ＿ｖａｌ＋；
である。
【００２８】
上述において、この許容値が、さらなる歪みがなく、画像の横方向へのシフトを生じるのみである限りは、ｌｅｆｔ＿ｅｄｇｅ＿ａｌｉｇｎ値は、削除されてもよい。
【００２９】
図５は、解析プログラムのフローチャートを示している。ステップ５０１の工程を実施した後、ステップ５０２において、ビットマップから、長方形形状２０４、２０６、及び２０５、２０７の外側により定義される前縁と後縁との間のピクセルにて表現された距離が同定される。その後、印刷された際、ペーパー上のｉ＋ｎミリメートルなる距離に対する距離が算出される。ミリメートルで表された距離は、テスト原稿における所定の実際の距離をミリメートルで表したものと比較される。百万分率として表現された補正値は、その後、スキャナーへと逆走される。この補正値にしたがって、スキャナーの移動速度が修正される。次に、ステップ５０３において、ビットマップにおける最も先端のラインと第１ブラック領域の第１側との間の距離が同定される。較正モードにて移動速度を与えることにより、第１間隙による移動開始のタイミング及びＣＣＤからの第１ラインを読み出すタイミング、並びに前縁の開始位置（図１、Ａ）と曝露スリットとの実際の距離が算出される。この同定距離及び通常モードにおける移動速度から、通常モードにおいて、ＣＣＤの読出しが、原稿シートの前縁が曝露スリットを通過する瞬間に正確に開始するように、制御信号開始ＣＣＤ読出しのタイミングが算出される。
【００３０】
この工程のステップ５０４では、後縁のタイミングは、ビットマップに由来し、かつ、原稿ディテクターの不活性化と比較される（図１参照）。この時間の差異から、並びに、移動速度を知ることを介して、原稿ディテクターと曝露スリットとの実際の距離がミリメートルにて表された値が算出される。種々の他の移動速度に関し、ＣＣＤの読出しを停止するためのタイミングが算出可能となる。
【００３１】
ステップ５０５では、長方形の二つの垂直線２１２との距離をピクセルにて表現した距離が同定される。ピクセルにて表現されたこの距離は、印刷された際のペーパー上の距離をミリメートルで表した値に変換される。この算出された距離は、原稿試験チャート上の所定の実際の距離をミリメートルで表した値と比較される。ペーパー幅の百万分率として得られた補正値は、スキャナーに逆走される。この補正値に従って、走査方向におけるスケーリングアルゴリズムが適用されてもよい。次に、ステップ５０６において、ラインの最初のピクセルと左部分における垂直ブラック領域との間のビットマップにおける距離が測定される。この測定値は、物理的左マージン誘導手段とＣＣＤアレイに沿った最初のピクセルとの間のピクセルによる実際の距離を与える。ピクセルにて表現された補正値は、スキャナーに逆走される。通常の走査工程において、ラインにおける種々のリーディングピクセルは、同定された補正値に従って、破棄される。最終的にステップ５０７においてこの工程は終了する。
【００３２】
上述に由来する更なる偏差により、較正は、種々の理由により、より早期に終了されてもよい。第１に、較正工程中にオペレーターがストップボタンを押すことにより生ずるだろう。これは、スキャナーから中止により効果を生じ、その後、コントローラーからの停止の要求へと続くであろう。さらに、（コントローラーからスキャナーへと至る）セットメモリが完全に充填された場合に生じるものや、（コントローラーからスキャナーへと至る）ディスク容量の満杯状態、オペレーターにより惹起されるステップテストであって、いずれも走査が効果的に開始さる前や、走査工程が順調に起こっている間や、パラメーターの分析処理中や、あるいは、算出後のパラメーターの処理間に起こることにより、終了されてもよい。パラメーター値が発見されなかった場合など、その他の理由より解析が停止されてもよい。最後に、得られるパラメーターは、スキャナーにより拒否あるいは拒絶されてもよい。
【００３３】
上述の開示は、本発明の好適実施例を示したものであり、当業者は、種々の補正や変法を認識するであろう；したがって、本発明の範囲は、添付された請求項によりのみ限定されるものと考慮されるべきである。
【図面の簡単な説明】
【００３４】
【図１】スキャナー装置に適用された機能性を有するペーパーパスに関する例示的図である。
【図２】テスト原稿の実施例に関するスタイル図である。
【図３】テスト原稿の走査により得られるメモリー画像である。
【図４】本発明の実施例を備えた複製装置に関する単純化された部材図である。
【図５】本発明による方法に関する実施例を示したフローチャートである。
【符号の説明】
【００３５】
１０１  装置
１０２  線形ＣＣＤアレイ
１０３  トランスポートローラー
１０４  トランスポートローラー
１０５  光源
１０６  圧盤
１０７  スリット
１０８  光路
１０９  シートセンサー
１１０  ゲージロール
２０１  テスト原稿
２０２  太線矢印
２０４  マーク
２０５  マーク
２０６  マーク
２０７  マーク
２０８  マーク
２０９  マーク
２１０  マーク
２１１  マーク
２１２  ラインパターン
３０１  テスト原稿
３０２  ライン
３０３  ライン
３０４  境界線
３０５  境界線
４０１  複製装置
４０２  スキャナーユニット
４０３  コントローラーモジュール
４０４  プリンターユニット
４０５  メモリー
４０６  メモリー
４０７  データーライン
４０８  メモリーユニット
４０９  インターフェースユニット
４１０  較正プログラム
４１１  解析プログラム
４１２  キーボード
４１３  ディスプレイ
５０１  ステップ
５０２  ステップ
５０３  ステップ
５０４  ステップ
５０５  ステップ
５０６  ステップ
５０７  ステップ
【図１】
2004180296.tif 000003
【図２】
2004180296.tif 000004
【図３】
2004180296.tif 000005
【図４】
2004180296.tif 000006
【図５】
2004180296.tif 000007